【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
少なくとも一方が透明または半透明である一対の電極間に挟持された一層または複数層の有機化合物層より構成される有機電界発光素子において、
前記有機化合物層の少なくとも一層が、少なくとも１種の非共役系高分子を含有し、前記非共役系高分子の少なくとも一方の末端基が、リン光発光体を有することを特徴とする有機電界発光素子。
【請求項２】
前記非共役系高分子が、ポリエステル、ポリエーテル及びポリウレタンからなる群から選択される少なくとも一種であることを特徴とする請求項１に記載の有機電界発光素子。
【請求項３】
前記非共役系高分子が、正孔輸送性高分子であることを特徴とする請求項１に記載の有機電界発光素子。
【請求項４】
前記非共役系高分子が、正孔輸送性と電子輸送性とを兼ね備えた高分子であることを特徴とする請求項１に記載の有機電界発光素子。
【請求項５】
前記非共役系高分子が、下記一般式（ＩＩ−１）又は（ＩＩ−２）で示されるポリエステルであることを特徴とする請求項１乃至４のいずれか１項に記載の有機電界発光素子。
【化１】
2007173464.tif 000001
（一般式（ＩＩ−１）及び（ＩＩ−２）中、Ａ１は一般式（Ｉ−１）及び（Ｉ−２）で示される構造から選択された少なくとも１種を表し、Ｙ１は２価のアルコール残基を表し、Ｚ１は２価のカルボン酸残基を表し、ｍは１〜５の整数を表し、ｐは５〜５０００の整数を表す。
一般式（Ｉ−１）及び（Ｉ−２）中、Ａｒは、置換若しくは未置換のフェニル基、置換若しくは未置換の芳香環数２〜１０の１価の多核芳香族炭化水素、置換若しくは未置換の芳香環数２〜１０の１価の縮合芳香族炭化水素又は置換若しくは未置換の１価の芳香族複素環を表し、Ｘは置換若しくは未置換のフェニレン基、置換若しくは未置換の芳香環数２〜１０の２価の多核芳香族炭化水素、置換若しくは未置換の芳香環数２〜１０の２価の縮合芳香族炭化水素又は置換若しくは未置換の２価の芳香族複素環を表し、Ｔは炭素数１〜６の２価の直鎖状炭化水素基又は炭素数２〜１０の２価の分枝鎖状炭化水素基を表し、ｋ、ｉ、ｊはそれぞれ独立に０又は１を表す。）
【請求項６】
前記非共役系高分子が、下記一般式（ＩＩＩ−１）で示されるポリエーテルであることを特徴とする請求項１乃至４のいずれか１項に記載の有機電界発光素子。
【化２】
2007173464.tif 000002
（一般式（ＩＩＩ−１）中、Ａ１は一般式（Ｉ−１）及び（Ｉ−２）で示される構造から選択された少なくとも１種を表し、ｐは５〜５，０００の整数を表す。
一般式（Ｉ−１）及び（Ｉ−２）中、Ａｒは、置換若しくは未置換のフェニル基、置換若しくは未置換の芳香環数２〜１０の１価の多核芳香族炭化水素、置換若しくは未置換の芳香環数２〜１０の１価の縮合芳香族炭化水素又は置換若しくは未置換の１価の芳香族複素環を表し、Ｘは置換若しくは未置換のフェニレン基、置換若しくは未置換の芳香環数２〜１０の２価の多核芳香族炭化水素、置換若しくは未置換の芳香環数２〜１０の２価の縮合芳香族炭化水素又は置換若しくは未置換の２価の芳香族複素環を表し、Ｔは炭素数１〜６の２価の直鎖状炭化水素基又は炭素数２〜１０の２価の分枝鎖状炭化水素基を表し、ｋ、ｉ、ｊはそれぞれ独立に０又は１を表す。）
【請求項７】
前記非共役系高分子が、下記一般式（ＩＶ−１）又は（ＩＶ−２）で示されるポリウレタンであることを特徴とする請求項１乃至４のいずれか１項に記載の有機電界発光素子。
【化３】
2007173464.tif 000003
（一般式（ＩＶ−１）及び（ＩＶ−２）中、Ａ１は一般式（Ｉ−１）及び（Ｉ−２）で示される構造から選択された少なくとも１種を表し、ｐは５〜５，０００の整数を表し、Ｙ２及びＺ２は２価のイソシアネート、アルコール、又はアミン残基を表す。
一般式（Ｉ−１）及び（Ｉ−２）中、Ａｒは、置換若しくは未置換のフェニル基、置換若しくは未置換の芳香環数２〜１０の１価の多核芳香族炭化水素、置換若しくは未置換の芳香環数２〜１０の１価の縮合芳香族炭化水素又は置換若しくは未置換の１価の芳香族複素環を表し、Ｘは置換若しくは未置換のフェニレン基、置換若しくは未置換の芳香環数２〜１０の２価の多核芳香族炭化水素、置換若しくは未置換の芳香環数２〜１０の２価の縮合芳香族炭化水素又は置換若しくは未置換の２価の芳香族複素環を表し、Ｔは炭素数１〜６の２価の直鎖状炭化水素基又は炭素数２〜１０の２価の分枝鎖状炭化水素基を表し、ｋ、ｉ、ｊはそれぞれ独立に０又は１を表す。）
【請求項８】
前記有機化合物層が少なくとも発光層と、電子輸送層及び／または電子注入層とから構成され、少なくとも前記発光層が、前記非共役系高分子を少なくとも１種含有してなることを特徴とする請求項１に記載の有機電界発光素子。
【請求項９】
前記有機化合物層が少なくとも正孔輸送層及び／または正孔注入層と、発光層と、電子輸送層及び／または電子注入層とから構成され、少なくとも前記発光層が、前記非共役系高分子を少なくとも１種含有してなることを特徴とする請求項１に記載の有機電界発光素子。
【請求項１０】
前記有機化合物層が少なくとも正孔輸送層及び／または正孔注入層と、発光層とから構成され、少なくとも前記発光層が、前記非共役系高分子を少なくとも１種含有してなることを特徴とする請求項１に記載の有機電界発光素子。
【請求項１１】
前記有機化合物層が電荷輸送能を有する発光層一層のみから構成され、前記発光層が、前記非共役系高分子を少なくとも１種含有してなることを特徴とする請求項１に記載の有機電界発光素子。
【請求項１２】
前記リン光発光体が、有機化合物であることを特徴とする請求項１に記載の有機電界発光素子。
【請求項１３】
前記有機化合物が、有機金属錯体であることを特徴とする請求項１２に記載の有機電界発光素子。
【請求項１４】
前記有機金属錯体に含まれる金属が、イリジウム又は白金であることを特徴とする請求項１３に記載の有機電界発光素子。
【請求項１５】
請求項１乃至１４のいずれか１項に記載の有機電界発光素子の製造方法であって、
前記有機化合物層の構成成分を溶媒中に溶解させた有機化合物層用塗布液をインクジェット法により塗布する塗布工程を少なくとも有する有機電界発光素子の製造方法。
【請求項１６】
請求項１乃至１４のいずれか１項に記載の有機電界発光素子を、マトリクス状及び／又はセグメント状に配置したことを特徴とする画像表示媒体。
【手続補正２】
【補正対象書類名】明細書
【補正対象項目名】００１２
【補正方法】変更
【補正の内容】
【００１２】
＜５＞  前記非共役系高分子が、下記一般式（ＩＩ−１）又は（ＩＩ−２）で示されるポリエステルであることを特徴とする＜１＞乃至＜４＞のいずれか１つに記載の有機電界発光素子である。
【手続補正３】
【補正対象書類名】明細書
【補正対象項目名】００１３
【補正方法】変更
【補正の内容】
【００１３】
【化１】
2007173464.tif 000004
【手続補正４】
【補正対象書類名】明細書
【補正対象項目名】００１４
【補正方法】変更
【補正の内容】
【００１４】
（一般式（ＩＩ−１）及び（ＩＩ−２）中、Ａ１は一般式（Ｉ−１）及び（Ｉ−２）で示される構造から選択された少なくとも１種を表し、Ｙ１は２価のアルコール残基を表し、Ｚ１は２価のカルボン酸残基を表し、ｍは１〜５の整数を表し、ｐは５〜５０００の整数を表す。
一般式（Ｉ−１）及び（Ｉ−２）中、Ａｒは、置換若しくは未置換のフェニル基、置換若しくは未置換の芳香環数２〜１０の１価の多核芳香族炭化水素、置換若しくは未置換の芳香環数２〜１０の１価の縮合芳香族炭化水素又は置換若しくは未置換の１価の芳香族複素環を表し、Ｘは置換若しくは未置換のフェニレン基、置換若しくは未置換の芳香環数２〜１０の２価の多核芳香族炭化水素、置換若しくは未置換の芳香環数２〜１０の２価の縮合芳香族炭化水素又は置換若しくは未置換の２価の芳香族複素環を表し、Ｔは炭素数１〜６の２価の直鎖状炭化水素基又は炭素数２〜１０の２価の分枝鎖状炭化水素基を表し、ｋ、ｉ、ｊはそれぞれ独立に０又は１を表す。）
【手続補正５】
【補正対象書類名】明細書
【補正対象項目名】００１５
【補正方法】変更
【補正の内容】
【００１５】
＜６＞  前記非共役系高分子が、下記一般式（ＩＩＩ−１）で示されるポリエーテルであることを特徴とする＜１＞乃至＜４＞のいずれか１つに記載の有機電界発光素子である。
【手続補正６】
【補正対象書類名】明細書
【補正対象項目名】００１６
【補正方法】変更
【補正の内容】
【００１６】
【化２】
2007173464.tif 000005
【手続補正７】
【補正対象書類名】明細書
【補正対象項目名】００１７
【補正方法】変更
【補正の内容】
【００１７】
（一般式（ＩＩＩ−１）中、Ａ１は一般式（Ｉ−１）及び（Ｉ−２）で示される構造から選択された少なくとも１種を表し、ｐは５〜５，０００の整数を表す。
一般式（Ｉ−１）及び（Ｉ−２）中、Ａｒは、置換若しくは未置換のフェニル基、置換若しくは未置換の芳香環数２〜１０の１価の多核芳香族炭化水素、置換若しくは未置換の芳香環数２〜１０の１価の縮合芳香族炭化水素又は置換若しくは未置換の１価の芳香族複素環を表し、Ｘは置換若しくは未置換のフェニレン基、置換若しくは未置換の芳香環数２〜１０の２価の多核芳香族炭化水素、置換若しくは未置換の芳香環数２〜１０の２価の縮合芳香族炭化水素又は置換若しくは未置換の２価の芳香族複素環を表し、Ｔは炭素数１〜６の２価の直鎖状炭化水素基又は炭素数２〜１０の２価の分枝鎖状炭化水素基を表し、ｋ、ｉ、ｊはそれぞれ独立に０又は１を表す。）
【手続補正８】
【補正対象書類名】明細書
【補正対象項目名】００１８
【補正方法】変更
【補正の内容】
【００１８】
＜７＞  前記非共役系高分子が、下記一般式（ＩＶ−１）又は（ＩＶ−２）で示されるポリウレタンであることを特徴とする＜１＞乃至＜４＞のいずれか１つに記載の有機電界発光素子である。
【手続補正９】
【補正対象書類名】明細書
【補正対象項目名】００１９
【補正方法】変更
【補正の内容】
【００１９】
【化３】
2007173464.tif 000006
【手続補正１０】
【補正対象書類名】明細書
【補正対象項目名】００２０
【補正方法】変更
【補正の内容】
【００２０】
（一般式（ＩＶ−１）及び（ＩＶ−２）中、Ａ１は一般式（Ｉ−１）及び（Ｉ−２）で示される構造から選択された少なくとも１種を表し、ｐは５〜５，０００の整数を表し、Ｙ２及びＺ２は２価のイソシアネート、アルコール、又はアミン残基を表す。
一般式（Ｉ−１）及び（Ｉ−２）中、Ａｒは、置換若しくは未置換のフェニル基、置換若しくは未置換の芳香環数２〜１０の１価の多核芳香族炭化水素、置換若しくは未置換の芳香環数２〜１０の１価の縮合芳香族炭化水素又は置換若しくは未置換の１価の芳香族複素環を表し、Ｘは置換若しくは未置換のフェニレン基、置換若しくは未置換の芳香環数２〜１０の２価の多核芳香族炭化水素、置換若しくは未置換の芳香環数２〜１０の２価の縮合芳香族炭化水素又は置換若しくは未置換の２価の芳香族複素環を表し、Ｔは炭素数１〜６の２価の直鎖状炭化水素基又は炭素数２〜１０の２価の分枝鎖状炭化水素基を表し、ｋ、ｉ、ｊはそれぞれ独立に０又は１を表す。）
【手続補正１１】
【補正対象書類名】明細書
【補正対象項目名】００２１
【補正方法】変更
【補正の内容】
【００２１】
＜８＞  前記有機化合物層が少なくとも発光層と、電子輸送層及び／または電子注入層とから構成され、少なくとも前記発光層が、前記非共役系高分子を少なくとも１種含有してなることを特徴とする＜１＞に記載の有機電界発光素子である。
＜９＞  前記有機化合物層が少なくとも正孔輸送層及び／または正孔注入層と、発光層と、電子輸送層及び／または電子注入層とから構成され、少なくとも前記発光層が、前記非共役系高分子を少なくとも１種含有してなることを特徴とする＜１＞に記載の有機電界発光素子である。
＜１０＞  前記有機化合物層が少なくとも正孔輸送層及び／または正孔注入層と、発光層とから構成され、少なくとも前記発光層が、前記非共役系高分子を少なくとも１種含有してなることを特徴とする＜１＞に記載の有機電界発光素子である。
＜１１＞  前記有機化合物層が電荷輸送能を有する発光層一層のみから構成され、前記発光層が、前記非共役系高分子を少なくとも１種含有してなることを特徴とする＜１＞に記載の有機電界発光素子である。
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】変更
【補正の内容】
【００２８】
＜１２＞  前記リン光発光体が、有機化合物であることを特徴とする＜１＞に記載の有機電界発光素子である。
【手続補正１９】
【補正対象書類名】明細書
【補正対象項目名】００２９
【補正方法】変更
【補正の内容】
【００２９】
＜１３＞  前記有機化合物が、有機金属錯体であることを特徴とする＜１２＞に記載の有機電界発光素子である。
【手続補正２０】
【補正対象書類名】明細書
【補正対象項目名】００３０
【補正方法】変更
【補正の内容】
【００３０】
＜１４＞  前記有機金属錯体に含まれる金属が、イリジウム又は白金であることを特徴とする＜１３＞に記載の有機電界発光素子である。
【手続補正２１】
【補正対象書類名】明細書
【補正対象項目名】００３１
【補正方法】変更
【補正の内容】
【００３１】
＜１５＞  ＜１＞乃至＜１４＞のいずれか１つに記載の有機電界発光素子の製造方法であって、前記有機化合物層の構成成分を溶媒中に溶解させた有機化合物層用塗布液をインクジェット法により塗布する塗布工程を少なくとも有する有機電界発光素子の製造方法である。
【手続補正２２】
【補正対象書類名】明細書
【補正対象項目名】００３２
【補正方法】変更
【補正の内容】
【００３２】
＜１６＞  ＜１＞乃至＜１４＞のいずれか１つに記載の有機電界発光素子を、マトリクス状及び／又はセグメント状に配置したことを特徴とする画像表示媒体である。